(57)【要約】      （修正有）【課題】折り畳み式の座席用サポートテーブルを提供する。【解決手段】折り畳み式の座席用サポートテーブルは、固定シャフト１と、第１の回転シャフト２と、回転継ぎ手３と、第２の回転シャフト４と、サポート板５とを備え、該固定シャフトと椅子とを固定接続する。これにより、第１の回転シャフトと固定シャフトとを位置決め型のヒンジ接続することが可能になり、回転継ぎ手と第１の回転シャフトとを位置決め型のヒンジ接続することが可能になり、第２の回転シャフトと回転継ぎ手とを位置決め型のヒンジ接続することが可能になる。サポート板を該第２の回転シャフトの上に設置することで、該サポート板は多角度に角度調整機能を有するようになる。【選択図】図２
0003170562.tif 000002
【実用新案登録請求の範囲】
【請求項１】
折り畳み式の座席用サポートテーブルであって、固定シャフトと、第１の回転シャフトと、回転継ぎ手と、第２の回転シャフトと、サポート板とを備え、
前記固定シャフトと椅子とを固定接続して、前記第１の回転シャフトと前記固定シャフトとを位置決め型のヒンジ接続することが可能になり、前記回転継ぎ手と前記第１の回転シャフトとを位置決め型のヒンジ接続することが可能になり、前記第２の回転シャフトと前記回転継ぎ手とを位置決め型のヒンジ接続することが可能になり、前記サポート板が前記第２の回転シャフトの上に設置されることを特徴とする、折り畳み式の座席用サポートテーブル。
【請求項２】
前記固定シャフトと前記椅子のスタンド脚とを固定接続し、その接続方式は、直接にスパイラル接合、ボルト接合、リベット接合或いはろう接であることを特徴とする、請求項１に記載の折り畳み式の座席用サポートテーブル。
【請求項３】
前記第１の回転シャフトと、前記固定シャフトとのヒンジ接続構造は、４つの係合位置を持つ第１のヒンジ軸と、第１のバネと、ボタンとを備え、前記第１のバネは前記第１のヒンジ軸の外周を包囲し、前記ボタンは前記第１のヒンジ軸の一端に設置され、位置決めされているとき、前記４つの係合位置が固定シャフト切欠きに係止することを特徴とする、請求項１に記載の折り畳み式の座席用サポートテーブル。
【請求項４】
前記回転継ぎ手と、前記第１の回転シャフトとのヒンジ接続構造は、第２のヒンジ軸と、係止ブロックと、第２のバネとを備え、前記係止ブロックは前記第２のバネを押え、位置決めされているとき、前記係止ブロックが回転継ぎ手切欠きに係止することを特徴とする、請求項１に記載の折り畳み式の座席用サポートテーブル。
【請求項５】
前記第２の回転シャフトと、前記回転継ぎ手とのヒンジ接続構造は、第３のヒンジ軸と、丸皿頭と、第３のバネと、バネキャップとを備え、前記丸皿頭と前記第３のバネを前記バネキャップで蓋い、前記第３のバネは前記丸皿頭に当接し、前記丸皿頭は前記回転継ぎ手の歯位置に当接することを特徴とする、請求項１に記載の折り畳み式の座席用サポートテーブル。
【請求項６】
前記サポート板の下面には台座と摺動ブロックが設置され、前記サポート板と、前記台座とをヒンジ接続し、前記台座を前記摺動ブロックの上方に固定装着し、前記台座と前記摺動ブロックとの接続方式は、粘着接合、直接にスパイラル接合、ボルト接合、リベット接合或いはろう接であり、前記摺動ブロックは前記第２の回転シャフトの外周を包囲することを特徴とする、請求項１に記載の折り畳み式の座席用サポートテーブル。
【請求項７】
前記サポート板の下面には３つの通り孔を持つ位置決め座が設置され、前記位置決め座には３つの頭部を持つ頭部座面が収容設置され、台座の内部には第４のバネと挿し頭部が設けられ、前記第４のバネは前記挿し頭部に当接し、前記挿し頭部はそのうちの１つの通り孔に挿入することを特徴とする、請求項１に記載の折り畳み式の座席用サポートテーブル。
【請求項８】
前記サポート板の下辺縁には阻止ブロックがヒンジ接続され、前記サポート板の上辺縁の下面両辺には２本の押えレバーがヒンジ接続され、当該押えレバーを押えレバー蓋で蓋い、当該押えレバーの内部にはゴムブロックが固設されることを特徴とする、請求項１乃至請求項７のいずれか１項に記載の折り畳み式の座席用サポートテーブル。
【考案の詳細な説明】
【技術分野】
【０００１】
本考案は折り畳み式の座席用サポートテーブルに関し、固定シャフトと椅子とを固定接続することによって、第１の回転シャフトと固定シャフトとを位置決め型のヒンジ接続することが可能になり、回転継ぎ手と第１の回転シャフトとを位置決め型のヒンジ接続することが可能になり、第２の回転シャフトと回転継ぎ手とを位置決め型のヒンジ接続することが可能になり、サポート板がその第２の回転シャフトの上に設置されて、そのサポート板は角度調整可能とし、多角度変化するように構成されるものである。
【背景技術】
【０００２】
人類は生活水準の向上に伴って、人類は、椅子を多機能化する要望が高まっている。現在、例えば、オフィス椅子、会議用椅子、家庭用椅子など各種各様な椅子が存在し、人類の閲読とパソコン使用の要求を満足するために、一般的に以下のような２種の構造を採用している。
【０００３】
１．航空機用座席に類似しており、前面の椅子の後面側にサポート板が設けられており、このように、椅子の前面には他の椅子が存在する必要があり、それは、家庭或いはオフィスの場合では実現することができないという欠陥が明らかにあった。｛けっかん｝
【０００４】
２．椅子の片辺のアームレストに、１枚のサポート板を追設しており、このような構造では、単に置く台とする効果が得られるが、何らかの位置調整する機能を有していなかった。｛けっかん｝
【考案の概要】
【考案が解決しようとする課題】
【０００５】
本考案に係る折り畳み式の座席用サポートテーブルは、上述したような現在の技術が存在している不十分な弊害を克服するためになされたものであり、構造が巧妙で、使用上の必要に応じて調整を行うができる折り畳み式の座席用サポートテーブルを提供する。
【課題を解決するための手段】
【０００６】
本考案の目的は以下の技術方案により実現させることにある。この折り畳み式の座席用サポートテーブルは、固定シャフトと、第１の回転シャフトと、回転継ぎ手と、第２の回転シャフトと、サポート板とを備え、該固定シャフトと椅子とを固定接続して、第１の回転シャフトと固定シャフトとを位置決め型のヒンジ接続することが可能になり、回転継ぎ手と第１の回転シャフトとを位置決め型のヒンジ接続することが可能になり、第２の回転シャフトと回転継ぎ手とを位置決め型のヒンジ接続することが可能になり、サポート板がその第２の回転シャフトの上に設置されている。それによって、第１の回転シャフトと、第２の回転シャフトと、回転継ぎ手と、サポート板との間には、多方向調整の機能を有することから、サポート板の使用角度・方向を使用者にとって最も快適な状態に容易に調整させることが可能となり、使用者がサポート板を利用して、読書或いはノートパソコン操作をさせることが可能となり、人間工学の要求性に応えるようにしたものである。
【図面の簡単な説明】
【０００７】
【図１】本考案の折り畳み状態を示す図である。
【図２】本考案の操作状態を示す図である（その１）。
【図３】本考案の操作状態を示す図である（その２）。
【図４】本考案の操作状態を示す図である（その３）。
【図５】本考案の使用状態を示す参考図である。
【図６】本考案の構造図である。
【図７】本考案のサポート板の背面を示す構造図である。
【図８】本考案のサポート板を示す組み立て図である。
【考案を実施するための形態】
【０００８】
本考案をより完全に理解するために、その構造組み立て及び達成できる機能・効果についてを添付図面を参照して本発明の好適な実施の形態を詳細に後で説明する。
【実施例１】
【０００９】
図６、図７のように、折り畳み式の座席用サポートテーブルは、固定シャフト１と、第１の回転シャフト２と、回転継ぎ手３と、第２の回転シャフト４と、サポート板５とを備え、固定シャフト１と椅子とを固定接続して、第１の回転シャフト２と固定シャフト１とを位置決め型のヒンジ接続することが可能になり、回転継ぎ手３と第１の回転シャフト２とを位置決め型のヒンジ接続することが可能になり、第２の回転シャフト４と回転継ぎ手３とを位置決め型のヒンジ接続することが可能になり、サポート板５の下面にある摺動ブロック２０は第２の回転シャフト４の外周を包囲するように構成される。
【００１０】
固定シャフト１と椅子のスタンド脚とを固定接続（但し、スタンド脚の上に固定することに限定するものでなく、椅子の座面と固定しても良く、単に固定シャフト１を椅子に組み付ける目的だけを達成すれば良い）し、その接続方式としては、ボルト接合である。第１の回転シャフト２と、固定シャフト１とのヒンジ接続構造は、４つの係合位置６１を持つ第１のヒンジ軸６と、第１のバネ７と、ボタン８とを備え、第１のバネ７は第１のヒンジ軸６の外周を包囲し、ボタン８は第１のヒンジ軸６の一端に設置され、位置決めされているとき、４つの係合位置６１が固定シャフト切欠き９内に係止するように構成される。
【００１１】
回転継ぎ手３と、第１の回転シャフト２とのヒンジ接続構造は、第２のヒンジ軸１０と、係止ブロック１１と、第２のバネ１２とを備え、係止ブロック１１は第２のバネ１２を押え、位置決めされているとき、係止ブロック１１が回転継ぎ手切欠き１３に係止するように構成される。
【００１２】
第２の回転シャフト４と、回転継ぎ手３とのヒンジ接続構造は、第３のヒンジ軸１４と、丸皿頭１５と、第３のバネ１６と、バネキャップ１７（図８に図示する）とを備え、丸皿頭１５と第３のバネ１６をバネキャップ１７で蓋い、第３のバネ１６は丸皿頭１５に当接し、丸皿頭１５は回転継ぎ手３の歯位置１８に当接するように構成される。
【００１３】
サポート板５の下面には台座１９と摺動ブロック２０が設置され、サポート板５と、台座１９とをヒンジ接続し、台座１９を摺動ブロック２０の上方に固定装着し、台座１９と摺動ブロック２０との接続方式としては、ボルト接合である。
【００１４】
サポート板５の下面には３つの通り孔２１１を持つ位置決め座２１が設置され、位置決め座２１には３つの頭部２３を持つ頭部座面２２（頭部座面２２には、長い貫通孔２２１が設けられて、ねじを介して位置決め座２１に接合され、長い貫通孔２２１よりスライド可能なレールとなる）が収容設置され、台座１９の内部には第４のバネ２４と挿し頭部２５が設けられ、第４のバネ２４は挿し頭部２５に当接し、挿し頭部２５は位置決め座２１の通り孔２１１（挿し頭部２５は位置決め座２１の任意の１つの通り孔２１１を択一的に挿入して位置決めされ、かつ頭部座面２２に圧接した後、係合の位置決め作用を解除するように挿し頭部２５を圧接して押し出すことができる）に挿入する。このような構造によって、サポート板５は、３つの保持位置の回転角度を実現させて、人間が閲読とパソコン使用に対し、各種各様な角度の要求に応えるようにさせた。
【００１５】
サポート板５の下辺縁には阻止ブロック２６がヒンジ接続され、この阻止ブロック２６は、書籍或いはパソコンの下滑りの阻止に用いられている。サポート板５の上辺縁の下面両辺には２本の押えレバー２７がヒンジ接続され、押えレバー２７を押えレバー蓋２８で蓋い、押えレバー２７の内部にはゴムブロック２９が固設され、この押えレバー２７は書籍のページを押えるの或いは後面からパソコンを保持するのに用いられている。
【実施例２】
【００１６】
実施例２において、説明していない部分は実施例１と同様で、実施例１と異なる点は、サポート板５を第２の回転シャフト４の上面に直接に固定し、摺動ブロック２０を固定ブロックに代えて、この固定ブロックの形状は、お客様の要望に応じて任意に設計することができるし、固定方式としては、粘着接合、直接にスパイラル接合、ボルト接合、リベット接合或いはろう接を機敏に採用するもできる点である。
【実施例３】
【００１７】
実施例３において、説明していない部分は実施例１と同様で、実施例１と異なる点は、第２の回転シャフト４には一つのスライド溝が開設されており、摺動ブロック２０の下方をスライド溝内に挿設することによって、同じく摺動機能が実現する。
【００１８】
上述した具体的な実施方式は本考案の最良の実施例であり、本考案の権利請求範囲になんらの制限を加わるものではない。本考案の技術方案の精神と範囲を逸脱しない限り、その等効果修正又は変更は、なお、本考案の保護範囲に含まれるものとする。
【００１９】
本考案の操作過程は図１乃至図５のように示されている。
図１のように、サポートテーブル全体を折り畳んで収納する状態が示されている。
【００２０】
図２に示すように、ボタン８を押して、第１のヒンジ軸６の係合位置６１を固定シャフト切欠き９から離れさせ、第１の回転シャフト２を上向きに９０度回転する可能になる。位置に到着したとき、ボタン８を外して、４つの係合位置６１が固定シャフト切欠き９に係止し、第１の回転シャフト２が位置決めされる。
【００２１】
図３に示すように、回転継ぎ手３を上向きに９０度回転し、位置決めされているとき、第２のバネ１２が上向きに係止ブロック１１に当接し、係止ブロック１１が回転継ぎ手切欠き１３に係止する。
【００２２】
図４に示すように、実際の必要な角度に応じて、第２の回転シャフト４を横向きに回転し、第３のバネ１６は丸皿頭１５に当接し、丸皿頭１５は回転継ぎ手３の歯位置１８に当接し、第２の回転シャフト４の位置決めが実現してから、第２の回転シャフト４に沿ってサポート板５を張り出す。
【００２３】
図５に示すように、挿し頭部２５をサポート板５の下面にある位置決め座２１の３つの通り孔２１１のうちの１つに挿入し、頭部座面２２を押して、頭部座面２２の頭部２３が挿し頭部２５を突き出しており、この場合には、サポート板５を上向きに回転することができ、所要の位置までに調整する。阻止ブロック２６を上向きに回転して、書籍或いはノートパソコンを置いてから、押えレバー２７を上向きに回転して、押えレバー２７で書籍のページを押えるのか、或いは、後面からノートパソコンを保持すること。
【００２４】
使用終了後、逆方向に操作して、サポートテーブルを折り畳んで収納し、回転継ぎ手３を回転する時では、係止ブロック１１を予め押す必要がある。
【００２５】
本考案では、現在の技術に対し、以下の長所を有する。この折り畳み式の座席用サポートテーブル構造は新規、巧妙で、複数個のヒンジ接続構造と平行移動構造を利用してサポートテーブルの開放と折り畳んで収納を実現し、開放する場合では、人体への使用に適する要求に応えるように、第２の回転シャフト４と体との間の距離を調節でき、サポート板５の角度を調節できる。一方、折り畳んで収納した後、椅子の美観上の影響がなく、空間の無駄もない。
【符号の説明】
【００２６】
１：固定シャフト
２：第１の回転シャフト
３：回転継ぎ手
４：第２の回転シャフト
５：サポート板
６：第１のヒンジ軸
６１：係合位置
７：第１のバネ
８：ボタン
９：固定シャフト切欠き
１０：第２のヒンジ軸
１１：係止ブロック
１２：第２のバネ
１３：回転継ぎ手切欠き
１４：第３のヒンジ軸  
１５：丸皿頭
１６：第３のバネ
１７：バネキャップ
１８：歯位置
１９：台座
２０：摺動ブロック
２１：位置決め座
２１１：通り孔
２２：頭部座面
２２１：長い貫通孔  
２３：頭部
２４：第４のバネ
２５：挿し頭部
２６：阻止ブロック
２７：押えレバー
２８：押えレバー蓋  
２９：ゴムブロック
【図１】
0003170562.tif 000003
【図２】
0003170562.tif 000004
【図３】
0003170562.tif 000005
【図４】
0003170562.tif 000006
【図５】
0003170562.tif 000007
【図６】
0003170562.tif 000008
【図７】
0003170562.tif 000009
【図８】
0003170562.tif 000010